(57)【特許請求の範囲】
【請求項１】
被写体像を結像させるレンズを保持する鏡筒と、
前記鏡筒に前記レンズの光軸方向に正対するように固定されると共に前記結像された被写体像を電気信号に変換する撮像素子と、
前記撮像素子と所定の間隔をあけて配置されると共に情報を表示する表示装置とを備え、
前記鏡筒は、前記表示装置が前記撮像素子に前記所定の間隔よりも近接した場合に、前記表示装置に当接する凸部を備えることを特徴とする電子機器。
【請求項２】
前記撮像素子は、略方形であり、前記撮像装置の１辺方向に引き出されると共に電気信号を伝達するプリント配線板を備えることを特徴とする請求項１記載の電子機器。
【請求項３】
前記凸部は、前記鏡筒において前記撮像素子の前記プリント配線板が引き出しされている辺以外の少なくとも２辺の近傍に設けられたことを特徴とする請求項２記載の電子機器。
【請求項４】
前記凸部は、前記鏡筒において前記プリント配線板が引き出されている辺の近傍に設けられ、前記プリント配線板は前記凸部に対応する位置に前記凸部を通す穴を備えることを特徴とする請求項２記載の電子機器。
【請求項５】
前記鏡筒は、前記撮像素子の位置を前記レンズの光軸方向に正対するように調整する調整機構を備え、前記所定の間隔は、前記位置を調整することにより前記撮像素子及び前記表示装置が最も近接する間隔より大きいことを特徴とする請求項１乃至４のいずれか１項に記載の電子機器。
【請求項６】
前記表示装置は有機ＥＬディスプレイであることを特徴とする請求項１乃至５のいずれか１項に記載の電子機器。
【発明の詳細な説明】
【技術分野】
【０００１】
本発明は、電子機器に関し、特に、情報を表示する表示機器を有する電子機器に関する。
【背景技術】
【０００２】
従来の電子機器は、表示機器としてＬＣＤ（Liquid Crystal Display）パネルが多く用いられている。ＬＣＤパネルは、自ら発光するわけではないので、その裏面に光源としてバックライトを備える。
【０００３】
近年、電子機器の薄型を図るため、表示器機として自ら発光する有機ＥＬ（electroluminescence）ディスプレイの採用が進んでいる（例えば、特許文献１参照）。
【０００４】
一方、従来の電子機器は、撮像素子としてＣＣＤ（Charge Coupled Devices）が多く用いられている（例えば、特許文献２，３参照）。このような電子機器では、一般的に、ＣＣＤが固定された板金が、撮像レンズを保持する鏡筒に、光軸に対して正対するようにビスのみ又はビスによる調整後接着により固定されている。表示機器と鏡筒は、電子機器の厚み方向で重なるように配置されている場合が多い。電子機器の薄型化を図るために、ＣＣＤと表示機器は非常に近接して配置される。
【特許文献１】特開２００４−１５２５６３号公報
【特許文献２】特開平８−２４８４６５号公報
【特許文献３】特開２００５−１１７２５３号公報
【発明の開示】
【発明が解決しようとする課題】
【０００５】
しかしながら、上記従来の技術には、以下の課題がある。
【０００６】
有機ＥＬディスプレイはバックライトが不要であるのため薄型化に適しているが、その反面、局所的に変形しやすい。そのため、電子機器の薄型化を図るために、ＣＣＤと表示機器を非常に近接して配置すると、有機ＥＬディスプレイが表示面側から押圧されたときに、有機ＥＬディスプレイが変形してＣＣＤに当接する。その結果、ＣＣＤに力が加わり、ＣＣＤと光軸の位置関係がずれたり、ピント位置がずれ、撮像性能が低下する。
【０００７】
本発明の目的は、撮像性能を低下させることなく小型化を達成することができる電子機器を提供することにある。
【課題を解決するための手段】
【０００８】
上述の目的を達成するために、請求項１記載の電子機器は、被写体像を結像させるレンズを保持する鏡筒と、前記鏡筒に前記レンズの光軸方向に正対するように固定されると共に前記結像された被写体像を電気信号に変換する撮像素子と、前記撮像素子と所定の間隔をあけて配置されると共に情報を表示する表示装置とを備え、前記鏡筒は、前記表示装置が前記撮像素子に前記所定の間隔よりも近接した場合に、前記表示装置に当接する凸部を備えることを特徴とする。
【発明の効果】
【０００９】
請求項１記載の電子機器によれば、鏡筒が備える凸部は、表示装置が撮像素子に所定の間隔よりも近接した場合に、表示装置に当接する。これにより、表示装置が表示面から押圧されて変位した場合にも撮像素子に影響を与えない。その結果、撮像性能を低下させることなく撮像装置の小型化を達成することができる。
【発明を実施するための最良の形態】
【００１０】
図１及び図２は、本発明の実施の形態に係る電子機器の構成を示す分解斜視図である。
【００１１】
図１は、電子機器としてのカメラ１００を背面から見た図であり、図２は、カメラ１００を正面から見た図である。
【００１２】
図１及び図２において、カメラ１００は、カメラの正面側を覆うフロントカバー１、カメラの裏側を覆うリアカバー２、鏡筒３、ファインダーユニット５、ベース８、電池ケース９、アナログ基板１０、及びデジタル基板１７を備える。
【００１３】
また、カメラ１００は、操作フレキ１９、スピーカ２０、操作ボタンベース部材２１、有機ＥＬディスプレイ２９、ディスプレイホルダ３０、切り替えボタン３２、固定板３３、ボタン保持部材３４、及びサイドカバー４１を備える。
【００１４】
ベース８は、金属フレームから成る。鏡筒３は、被写体像を結像させる撮影レンズ等を保持し、固定ねじ７ａ，７ｂ，７ｃによりベース８に固定される。電池ケース９は、電池６０を保持し、アナログ基板１０を挟んでねじ１１ａ，１１ｂによってベース８に固定される。
【００１５】
デジタル基板１７には、ＣＰＵ、メモリ、画像処理ＬＳＩ等が実装されている。デジタル基板１７の背面には、外部メモリであるＳＤメモリカード１７ｂを装着するためのスロット１７ａ、及び不図示のＵＳＢケーブルを装着するためのＵＳＢコネクタ１７ｃが実装されている。デジタル基板１７は、ねじ１８ａ，１８ｂ，１８ｃによって電池ケース９及びベース８にねじ止めされる。
【００１６】
操作フレキ１９は、レリーズＳＷ、電源ＳＷ等を実装している。スピーカ２０の端子部には操作フレキ１９の一端がはんだ付けされている。操作ボタンベース部材２１は、シリコンゴム製であり、十字キー２２、センターキー２３、押しボタン２４、２５等が操作ボタンベース部材２１上に貼り付けられている。
【００１７】
操作ボタンベース部材２１の背面には、操作ボタンベース部材２１に貼り付けられた上記ボタン類に対応する位置に、ドーム状の金属の皿（メタルドーム）が貼り付けられている。上記ボタン類を押下すると、メタルドームが操作フレキ１９上のパターンに接触して通電する。
【００１８】
操作ボタンベース部材の一部２１ａは、スピーカ２０の縁を覆うように構成されており、スピーカ２０とリアカバー２の隙間をふさぐ緩衝材の役目を果たしている。これにより、従来スピーカ上部に貼り付けられ音漏れの防止等の役割を果たしていたウレタンフォーム等の緩衝部材を省略することができる。
【００１９】
発光ボタン２６は、その中心部に導光部材２７が貼り付けられている。アナログ基板１０は、タクトＳＷ１０ａ、及びＬＥＤ１０ｂを備える。導光部材２７は、他の押しボタンＳＷを配した操作フレキ１９より奥に配置されたアナログ基板１０上に実装されたタクトＳＷ１０ａを押圧するように構成されている。
【００２０】
タクトＳＷ１０ａの横にはＬＥＤ１０ｂが配されており、ＬＥＤ１０ｂの発した光は、導光部材２７を通して発光ボタン２６の表面に導かれる。発光ボタン２６はそのベース部分がねじ２８によってベース８に固定されている。
【００２１】
有機ＥＬディスプレイ２９は、表示装置であり、熱伝導率の高い金属製のディスプレイホルダ３０に保持されている。ディスプレイホルダ３０は、ねじ止め部３０ａを有し、ねじ３１によってベース８に固定されている。
【００２２】
切り替えボタン３２は、左右に動かすことにより、カメラ１００の動作モード（静止画撮影モード、動画撮影モード、画像再生モード）を切り替える。切り替えボタン３２は、背面の固定板３３と共にリアカバー２を挟み込むことにより、左右動可能に構成されている。また、切り替えボタン３２は、切り欠き部３３ａが操作フレキ１９上に実装されたモード切り替えＳＷの腕部をくわえることにより、ＳＷを切り替えるように構成されている。
【００２３】
ボタン保持部材３４は、ズームダイアル３５、レリーズボタン３６、及びパワーボタン３７を保持する。ボタン保持部材３４は、電池ケース９の上面に操作フレキ１９を挟んで配置される。
【００２４】
また、ボタン保持部材３４の側部には、ＵＳＢコネクタ１７ｃ及び映像音声コネクタ１０ｃが収納されるコネクタ収納部を有すると共にそれらをカバーするためのコネクタカバー３８が引き出し可能に配されている。
【００２５】
サイドカバー４１は、カメラ１００の側面を覆い、強度とデザイン上の観点からダイキャストにより成型されている。また、サイドカバー４１は、略中央に穴部４１ａ，４１ｂが開けられ、その間のバー部４１ｃにストラップ紐４２が取り付けられるように構成されている。
【００２６】
穴部４１ａ，４１ｂには背面より内部が半球状にくりぬかれたインナー部材４３がはめ込まれている。これにより、ストラップ紐４２を容易に取り付けることができる。また、インナー部材４３は、その壁面が、サイドカバー４１の穴部４１ａ，４１ｂの周囲をカバーするように配されている。これにより、ストラップ紐４２が穴周囲のエッジで切断されることを防ぐと共に、指等がエッジに触れて怪我をすることを防ぐことができる。
【００２７】
サイドカバー４１は、ねじ４４ａ，４４ｂによって、フロントカバー１，リアカバー２及びインナー部材４３を挟み込んだ状態でベース８に固定される。三脚取り付け座４５は、三脚取り付け用のねじが切られている。
【００２８】
フロントカバー１及びリアカバー２は、ねじ４６ａ，４６ｂにより側面が固定され、ねじ４７ａ，４７ｂにより下面が固定される。
【００２９】
図３は、図１における有機ＥＬディスプレイ２９の構造を示す断面図である。
【００３０】
図３において、有機ＥＬディスプレイ２９は、封止ガラス２９ａ、基材２９ｂ、アルミ蒸着層２９ｃ、セラミック粒子混合黒色アクリル樹脂塗料層２９ｄ、及び有機発光剤２９ｅを備える。ディスプレイホルダ３０は、ねじ止め部３０ａを備える。
【００３１】
有機ＥＬディスプレイ２９は、セラミック粒子混合黒色アクリル樹脂塗料層２９ｄを覆うように金属製のディスプレイホルダ３０に保持されている。熱伝導率の高い金属製のディスプレイホルダ３０を介してＣＣＤ５０が発する熱をカメラ１００に逃がすことにより、熱に弱い有機ＥＬディスプレイ２９の劣化を防止することができる。
【００３２】
基材２９ｂは、ディスプレイホルダ３０から突出している突出部２９ｂ´を有している。この突出部２９ｂ´により、ＣＣＤ５０に影響を与えることなく有機ＥＬディスプレイ２９が駆動時に発する熱を放射することができる。
【００３３】
アルミ蒸着層２９ｃは、有機ＥＬディスプレイ２９の表示面の裏面、及び突出部２９ｂ´の側面を覆っている。
【００３４】
アルミ蒸着層２９ｃは、有機ＥＬディスプレイ２９の表示面から入射する外光及び有機ＥＬディスプレイ２９から発光された光を表示面側に反射させることにより、有機ＥＬディスプレイ２９の表示の輝度を高める。その結果、有機ＥＬディスプレイ２９の視認性を高めることができる。
【００３５】
更に、突出部２９ｂ´は、ねじ止め部３０ａをベース８に固定した際に、ベース８に押圧される。突出部２９ｂ´は、熱伝導率の高いアルミ蒸着層２９ｃを介して、有機ＥＬディスプレイ２９の発する熱をカメラ１００本体に逃がし、カメラ１００の表面より放熱させる。その結果、有機発光剤２９ｅの熱による劣化を防止することができる。
【００３６】
セラミック粒子混合黒色アクリル樹脂塗料層２９ｄは、アルミ蒸着層２９ｃの外側に設けられ、有機ＥＬディスプレイ２９の裏面及び側面を覆っている。
【００３７】
セラミック粒子混合黒色アクリル樹脂塗料層２９ｄは、ＣＣＤ５０（図４）及び有機ＥＬディスプレイ２９の熱を遮断し、相互の熱干渉を防止する。これにより、セラミック粒子混合黒色アクリル樹脂塗料層２９ｄは、ＣＣＤ５０が有機ＥＬディスプレイ２９に近接しても、駆動した際に発熱するＣＣＤ５０の熱が有機ＥＬディスプレイ２９に伝わるのを遮断する。その結果、熱に弱い有機ＥＬディスプレイ２９を劣化させることなく、カメラ１００の薄型化を達成することができる。
【００３８】
また、有機ＥＬディスプレイ２９が駆動した際に発する熱によるＣＣＤ５０の加熱を防止する。その結果、撮像された映像にノイズを発生させるのを防止することができる。
【００３９】
また、セラミック粒子混合黒色アクリル樹脂塗料層２９ｄは、表示面から入射する外光及び有機ＥＬディスプレイの発光がカメラ１００内部に入り、ＣＣＤ５０に漏れ込むのを防止する。
【００４０】
更に、セラミック粒子混合黒色アクリル樹脂塗料層２９ｄにより、表示面側から撮像装置の内部を隠し、表示品位を高めることができる。有機ＥＬディスプレイ２９の表示を鮮やかにすることができる。
【００４１】
図４は、図１における鏡筒３の構造を示す斜視図である。
【００４２】
図４において、鏡筒３は、リア鏡筒３ａ、及び複数の凸部３ｂを備える。また、鏡筒３の裏面には、ＣＣＤ５０、フレキシブルプリント配線板５１、及びＣＣＤ保持板５２が配されている。
【００４３】
ＣＣＤ５０は、結像された被写体像を電気信号に変換する略方形の撮像素子である。ＣＣＤ５０は、鏡筒３に撮像レンズの光軸方向に正対するように固定されている。フレキシブルプリント配線板５１は、ＣＣＤ５０の１辺方向に引き出され、ＣＣＤ５０を駆動するための信号及び電源をＣＣＤ５０に供給する。
【００４４】
高さＨの凸部３ｂは、有機ＥＬディスプレイ２９が表示面方向より押圧されると、有機ＥＬディスプレイ２９に当接するように設けられている。凸部３ｂは、鏡筒３において、ＣＣＤ５０の各辺の近傍に少なくとも一箇所以上設けられている。これにより、有機ＥＬディスプレイ２９の局所的な変形によるＣＣＤ５０の変位を防止することができる。
【００４５】
凸部３ｂは、鏡筒３においてレキシブルプリント配線板５１に対応する位置にも設けられている。レキシブルプリント配線板５１は、この凸部３ｂを通すための穴５１ａを有している。これにより、有機ＥＬディスプレイ２９の変位によるＣＣＤ５０の変位をより確実に防止することができる。
【００４６】
ＣＣＤ５０は、フレキシブルプリント配線板５１に接続されると共に、ＣＣＤ保持板５２に接着されている。ＣＣＤ５０は、ＣＣＤ保持板５２に設けられている三箇所の取り付け部に調整用ワッシャー（不図示）を挟んでリア鏡筒３ａに取り付けられることにより、光軸に正対するように調整されて鏡筒３に固着されている。リア鏡筒３ａは、鏡筒３の一部をなし、ＣＣＤ保持板５２やローパスフィルタ等を保持している。
【００４７】
図５は、図１における鏡筒３と有機ＥＬディスプレイ２９の関係を示す断面図である。
【００４８】
図５において、有機ＥＬディスプレイ２９は、ＣＣＤ５０と所定の間隔をあけて配置されている。有機ＥＬディスプレイ２９が表示面方向より押圧されると、まず始めに必ず有機ＥＬディスプレイ２９は凸部３ｂに当接する。そのため、表示面方向からの力は、凸部３ｂに加えられ、ＣＣＤ５０には加えられない。その結果、有機ＥＬディスプレイ２９が表示面方向より押圧された場合に、ＣＣＤ５０の位置がずれることを防止することができる。
【００４９】
また、鏡筒３は、ＣＣＤ５０の位置を撮影レンズの光軸方向に正対するように調整する調整機構（不図示）を備える。凸部３ｂの高さＨは、ＣＣＤ５０の位置を調整した際に、有機ＥＬディスプレイ２９とＣＣＤ５０の間隔が最も接近した場合にも、有機ＥＬディスプレイ２９とＣＣＤ５０が接触しないように規定している。これにより、ＣＣＤ保持板５２と有機ＥＬディスプレイ２９の間隔を保持し、有機ＥＬディスプレイ２９の変位によるＣＣＤ５０の変位をより確実に防止することができる。
【００５０】
本実施の形態によれば、鏡筒３が備える凸部３ｂは、有機ＥＬディスプレイ２９がＣＣＤ５０に所定の間隔よりも近接した場合に、有機ＥＬディスプレイ２９に当接する。これにより、有機ＥＬディスプレイ２９が表示面から押圧されて変位した場合にもＣＣＤ５０に影響を与えない。その結果、撮像性能を低下させることなく撮像装置の小型化を達成することができる。
【図面の簡単な説明】
【００５１】
【図１】本発明の実施の形態に係る電子機器の構成を示す分解斜視図である。
【図２】本発明の実施の形態に係る電子機器の構成を示す分解斜視図である。
【図３】図１における有機ＥＬディスプレイの構造を示す断面図である。
【図４】図１における鏡筒の構造を示す斜視図である。
【図５】図１における鏡筒と有機ＥＬディスプレイの関係を示す断面図である。
【符号の説明】
【００５２】
３  鏡筒
３ｂ  凸部
２９  有機ＥＬディスプレイ
５０  ＣＣＤ
５１  フレキシブルプリント配線板
５１ａ  穴
５２  ＣＣＤ保持板
【図１】
0004637002.tif 000002
【図２】
0004637002.tif 000003
【図３】
0004637002.tif 000004
【図４】
0004637002.tif 000005
【図５】
0004637002.tif 000006